(57)【特許請求の範囲】
【請求項１】
宛名部を有する封筒上紙と、切取り部により複数に区画されたラベル部を有する封筒中紙と、返信葉書部を有する封筒下紙とが折り部を介して連接され、前記封筒上紙の宛名部が表出するように前記三紙片をＺ状に折り畳み重ね合わせた際に対向する所定辺部を封着して用いる封書用シートであって、
前記封筒中紙におけるラベル部裏面とラベル部周りの裏面には、該ラベル部全域とラベル部周りの範囲とに位置する粘着剤と、この粘着剤に剥離可能に貼り付ける保護シートとを設け、
少なくとも封書用シートのプリント移送方向の先方側となる前記保護シートの端縁が、プリント移送方向の先方側となるラベル部の切取り部と前記粘着剤の端縁との間に位置し、保護シートの前記端縁からプリント移送方向の先方側に位置する前記粘着剤が剥離性インキにより覆われて、該剥離性インキで覆った保護シートの前記端縁からプリント移送方向の先方側に位置する前記粘着剤の部分が滑性の高い部分とされていることを特徴とする封書用シート。
【発明の詳細な説明】
【０００１】
【発明の属する技術分野】
本発明はラベル部を備える封書を得るための封書用シートに関するものである。
【０００２】
【発明が解決しようとする課題】
従来から各種のサービス業者にあっては顧客側に展示会開催などの紹介を行ってその紹介に対しての返答を得るための通知を行う場合、展示会内容を説明する案内資料や返答用としての返信葉書を有する封書を送付するようにしている。そして、展示会に来場した際に利用できるようなサービス券や来場者管理用のカード片などもその封書に組み入れるようにした工夫がある。また、クレジット会社などのサービス業者にあっても、顧客側に利用明細を通知する場合、月極めなどにしてその利用明細を記載した封書を送付するようにしている。そして、利用明細の送付を利用して利用度合いに応じたポイントを通知し、顧客側からの獲得ポイントの連絡を受けることでその獲得ポイントに応じた商品を提供するサービスが行われており、このポイントの通知に関して顧客側で管理し易いように点数券などをこの封書に組み入れるようにした工夫がある。さらに、各種医療機関においても定期診断の通知としての案内にこの封書を用い、健康状態の問い合わせを封書に組み入れた返信葉書で行えるようにするとともに、診断時における診断科目を医療機関側で管理し易くするための複数種の診察券などもその封書に組み入れるようにすることが行われている。
図４はその例を示すものである。図において１は三紙片をＺ状に折り重ねることで封書が得られるようにした封書用シートであり、封書時に上位となる封筒上紙２と中位となる封筒中紙３と下位となる封筒下紙４が折り用ミシン目などからなる折り部５を介して順に横一連にして連接され、前述したように中央に位置する封筒中紙３が中位となるように折り部５からＺ状に折り畳むことができるようにしている。そして、この折り畳みにより対向する所定辺部に、通常の状態では接着力を呈せずに所定の接着条件（例えば、加圧、加熱、加湿など）を加えることで接着力を呈する接着手段６が予め塗布されていて、折り畳みした後に接着条件を付与することで、図６に示すように四周が閉じられた封書７が得られるようにしている。８は前記封着された封書を開封するための切取り用ミシン目であり、接着手段６より内側となる位置に穿設されている。
そして、上記封筒上紙２において封書形態時に外面となる表面に受取人住所氏名の宛名部９が設けられ、また封筒下紙４において封書形態時に内面となる表面に返信先宛名を設けた返信葉書部１０が設けられている。さらに、封筒中紙３にあっては上述した各種の券として構成できるラベル部１１を有している。図５に示すようにこのラベル部１１にあってはその裏面に粘着剤１２が塗布されており、封筒中紙３の所定位置に塗布された剥離剤１３に貼り付けることで、このラベル部１１が剥離可能にして封筒中紙３に貼り付けられた構造としている。
【０００３】
しかしながら、上記した従来の封書用シートでは図５に示されているようにラベル部が封筒中紙に対して段差を持って重ねられて封筒中紙から盛り上がった状態となっているため、上述した宛名部やこのラベル部に対する印字をプリンタを用いて行うようにする場合に、ラベル部にプリンタヘッドが引っ掛かり故障を引き起こすことがあってプリンタ適性が良好なものとはなっていなかった。そこで、このようなプリンタヘッドが引っ掛かる不具合を無くすために、封書中紙自体にラベル部を切込み形成することか考えられ、図７に示されているように、その封筒中紙３に形成したラベル部１１の裏面側に粘着剤１２を配設し、この粘着剤１２を、表面が剥離処理された保護シート１６にて剥離可能に覆う封書用シート１が提案されている。しかし、このように封筒中紙３自体においてラベル部１１を形成したものではプリンタヘッドが引っ掛かる不具合が解消されるが、図５に示す例と同じように、封筒中紙３の裏面側に粘着剤１２を配設する場合でも、そのラベル部１１の形状パターンより若干小さい塗布パターンで粘着剤１２が塗布され、ラベル部端縁周りには非接着部分１４が存在し（図７参照）、保護シート自体がその非接着部分１４から捲り上がりし易い状態となっている。このため、プリント時などの封書用シート移送中に、保護シートの、特に移送方向先方側の端縁部分に他の物品や処理機器の一部分が接触すると保護シートが非接着部分から剥離し易くなり、これが原因で保護シートが脱落して表出した粘着剤移送工程中に処理機器などに付着するなどしてその処理機器側に不良を生じさせることがあり、用紙送り適性が必ずしも良好なものとはなっていなかった。
そこで本発明は上記事情に鑑み、ラベル部を封書用シート自体から得られるようにするとともに、用紙送り中に保護シートの剥がれを生じさせ難くすることを課題とし、印字側の表面が平坦で印字適性にすぐれ、安定して用紙送りできる封書用シートを得ることを目的とするものである。
【０００４】
【課題を解決するための手段】
本発明は上記課題を考慮してなされたもので、宛名部を有する封筒上紙と、切取り部により複数に区画されたラベル部を有する封筒中紙と、返信葉書部を有する封筒下紙とが折り部を介して連接され、前記封筒上紙の宛名部が表出するように前記三紙片をＺ状に折り畳み重ね合わせた際に対向する所定辺部を封着して用いる封書用シートであって、前記封筒中紙におけるラベル部裏面とラベル部周りの裏面には、該ラベル部全域とラベル部周りの範囲とに位置する粘着剤と、この粘着剤に剥離可能に貼り付ける保護シートとを設け、少なくとも封書用シートのプリント移送方向の先方側となる前記保護シートの端縁が、プリント移送方向の先方側となるラベル部の切取り部と前記粘着剤の端縁との間に位置し、保護シートの前記端縁からプリント移送方向の先方側に位置する前記粘着剤が剥離性インキにより覆われて、該剥離性インキで覆った保護シートの前記端縁からプリント移送方向の先方側に位置する前記粘着剤の部分が滑性の高い部分とされていることを特徴とする封書用シートを提供して、上記課題を解消するものである。
【０００５】
【発明の実施の形態】
つぎに本発明を図示の実施の形態に基づいて詳細に説明する。なお、図４から図７に示す従来例と構成が重複する部分は同符号を付してその説明を省略する。
まず、本発明に至るに際しての基礎の構成を説明する。
封書用シート１における封筒中紙３には、断面を示す図１とラベル部１１を裏面側から見た状態で表わしている図２に示されているように、ラベル形状に対応した切込みを入れた切取り部１５より二つのラベル部１１が区画形成されている。そして、ラベル部１１の裏面とラベル部周りの裏面には、そのラベル部１１の裏面全域からラベル部周りの範囲に亘るようにした粘着剤１２が配設されており、後述するように、この範囲への粘着剤１２の配設は糊版を利用した粘着剤単独での塗布や粘着剤１２を予め備えた保護シートの貼着によって構成されるものであり、前述の所要範囲に配設された粘着剤１２が、粘着剤側を剥離処理した保護シート１６により剥離可能に覆われている。粘着剤１２を有するラベル部１１の形成手順としては例えば、封書中紙３におけるラベル部形成予定領域においてラベル部裏面側となる位置で粘着剤を塗布してから前記保護シートを貼り付け、その後に封書中紙３の他方の面側から保護シートを分断しない深さで切り込みを入れて前記切取り部１５を設けることでラベル部１１が得られる。また、封筒中紙３におけるラベル部形成予定領域に、予め粘着剤を備えた保護シート１６を貼り付け、封筒中紙３の他方の面側から保護シートを分断しない深さで切り込みを入れて前記切取り部１５を設けることでもこのラベル部１１が得られる。このようにして、ラベル部１１はその裏面側に粘着剤１２を備えたものとなっており、封書を開封した後に切取り部１５からラベル部１１を引き剥がすようにすることでそのラベル部１１は粘着剤１２を有した状態のまま封筒中紙３から分離でき、任意の箇所に貼着できるものとなる。また、前記ラベル部１１が封筒中紙３に位置している時点ではその周りの封筒中紙の表面と同一平面を構成しており、従来例のようにラベル部のみが盛り上がるという状態にはならない。さらにラベル部１１は周りを切取り部１５を介して封筒中紙３に囲まれた状態となって周りの封筒中紙３に保持されており、移動するプリンタヘッドなどが摺接してもこのラベル部１１自体はズレ、脱落が生じないものとなる。
【０００６】
また、図１に示すように、封書用シートのプリント移送方向Ａの先方側となる保護シート１６の端縁１７が、上記粘着剤１２の塗布領域における端縁１８に揃って位置しているとともに、プリント移送方向Ａの後方側となる保護シート１６の端縁１９が、上記粘着剤１２の塗布領域における端縁２０に揃って位置しており、従来例における非接着部分を生じさせていない。このように保護シート１６の先方側と後方側とで非接着部分が生じていないため、封書用シート１を移送方向Ａに移送させた際、仮に他の物品や印字装置などの処理装置における部品が端縁１７に接触した場合でも保護シート１６は剥離することなく確実に粘着剤側に貼り付いた状態が維持され、保護シート自体の捲れや脱落を生じさせないようにしている。これによって、用紙移送時における粘着剤の表出が生じない。
保護シート１６におけるプリント移送方向Ａ側となる前記端縁１７と後方側となる端縁１９以外の二方の端縁にあっては、それぞれ対応する粘着剤の塗布領域における前記端縁１８，２０以外の端縁に揃って位置している必要はなく、その粘着剤塗布領域の二方の端縁を保護シートが覆うようになっていればよい。また、保護シート１６におけるプリント移送方向Ａ側となる前記端縁１７と粘着剤１２の先方側の端縁１８のみが位置揃えされるようにしてもよい。
【０００７】
図３は本発明を示している。本発明にあっては、封書用シート１のプリント移送方向Ａの先方側となる保護シート１６の端縁１７が、プリント移送方向Ａの先方側となるラベル部１１の切取り部１５ａと粘着剤１２の塗布領域における端縁１８との間に位置しているとともに、プリント移送方向Ａの後方側となる保護シート１６の端縁１９が、プリント移送方向Ａの後方側となるラベル部１１の切取り部１５ｂと粘着剤１２の塗布領域における端縁２０との間に位置している。
そして、保護シート１６の前記端縁１８からプリント移送方向Ａの先方側と前記端縁１９からプリント移送方向Ａの後方側とに上記粘着剤１２が表われることになるが、この粘着剤１２が、封筒中紙３から保護シート１６に亘る剥離性インキ２１により覆われているものである。このようにプリント移送方向Ａの先方側と後方側とに表れる粘着剤１２を剥離性インキ２１で覆っているため、その部分の粘着剤自体は他物に対して貼着することがない。そして、プリント移送方向Ａの先方側と後方側との粘着剤１２の粘着性を剥離性インキ２１で抑えるようにするため、保護シート１６の端縁１７，１９の位置を高い精度で設定する必要がなくなり、粘着剤塗布後の保護シートの貼り付け工程が効率的に行えるものとなっている。さらに、剥離性インキ２１によって保護シート１６の前記端縁１７，１９周りでの滑性が高くなり、特にプリント移送方向Ａでの用紙送りの際に他物が端縁１７に接触したとしてもその引っ掛かり度合いが極めて小さくなり、より一層、保護シートの捲れや脱落を抑えることができるものとなっている。なお、この剥離性インキを設けるようにする構成は少なくとも移送方向の先方側のみとして保護シートで粘着剤塗布領域の他の三方の端縁が覆われるものとすればよく、また、保護シートの四方すべてにおいてこの剥離インキで粘着剤の端縁を覆う構成とすることも可能である。
【０００８】
なお、図示した封書用シートにおいてはＺ折りされるシートであり、ラベル部や保護シートが封書内方となるようにそのラベル部を三シートの中央の紙片に設けた例であるが、本発明の封書用シートは上述した例のＺ折りされる形態に限定されるものではなく、例えば、シートの一端部側に位置する紙片から巻き込むように巻き折りされるものであってもよく、ラベル部と保護シートとが封書形態時に外表面に表出させないようにしながら何れの紙片に区画形成させることが可能である。
【０００９】
【発明の効果】
以上説明したように、本発明の封書用シートによれば、宛名部を有する封筒上紙と、切取り部により複数に区画されたラベル部を有する封筒中紙と、返信葉書部を有する封筒下紙とが折り部を介して連接され、前記封筒上紙の宛名部が表出するように前記三紙片をＺ状に折り畳み重ね合わせた際に対向する所定辺部を封着して用いる封書用シートであって、前記封筒中紙におけるラベル部裏面とラベル部周りの裏面には、該ラベル部全域とラベル部周りの範囲とに位置する粘着剤と、この粘着剤に剥離可能に貼り付ける保護シートとを設け、少なくとも封書用シートのプリント移送方向の先方側となる前記保護シートの端縁が、プリント移送方向の先方側となるラベル部の切取り部と前記粘着剤の端縁との間に位置し、保護シートの前記端縁からプリント移送方向の先方側に位置する前記粘着剤が剥離性インキにより覆われて、該剥離性インキで覆った保護シートの前記端縁からプリント移送方向の先方側に位置する前記粘着剤の部分が滑性の高い部分とされていることを特徴とするものである。このようにラベル部を紙片に入れた切取り部により区画形成するため、ラベル部が封書用シートの表面から盛り上がるような状態で位置することはなく、平坦な封書用シートの形態を保てて印字適性が良好であり、情報印字に際してプリンタを使用してもシリアルプリンタの移動するプリンタヘッドが引っ掛かるということがなく、またページプリンタなどの電子写真式プリンタを用いても印字品質を損なうことがなくなる。さらに剥離性インキで保護シートの前記端縁から先方側の粘着剤を覆うようにすることで、はみ出している粘着剤の粘着性を無くとともに、保護シートのその端縁が粘着剤から離れにくくなっており、封書用シートの用紙送り時において、他物がその保護シートの端縁側に接触したとしても保護シートの捲れや脱落が確実に防止され、粘着剤を表出させることなく用紙送りの適性が向上するなど、実用性に優れた効果を奏するものである。
【図面の簡単な説明】
【図１】  封書用シートの一例をラベル部を図４のＸ−Ｘ線と同部の断面で示す説明図である。
【図２】  同じく一例のラベル部を粘着剤側から見た状態で示す説明図である。
【図３】  本発明の一例のラベル部を粘着剤側から見た状態で示す説明図である。
【図４】  従来例を示す説明図である。
【図５】  従来例を三紙片連接方向での断面で示す説明図である。
【図６】  従来例よりなる封書を示す説明図である。
【図７】  他の従来例を三紙片連接方向での断面で示す説明図である。
【符号の説明】
１…封書用シート  ２…封筒上紙  ３…封筒中紙  ４…封筒下紙
５…折り部  ７…封書
１１…ラベル部  １２…粘着剤  １３…剥離剤
１５…切取り部
１６…保護シート
２１…剥離性インキ
【図１】
0003834685.tif 000002
【図２】
0003834685.tif 000003
【図３】
0003834685.tif 000004
【図４】
0003834685.tif 000005
【図５】
0003834685.tif 000006
【図６】
0003834685.tif 000007
【図７】
0003834685.tif 000008